(57)【特許請求の範囲】
【請求項１】
下記プロセスを順次行なうようにしたことを特徴とする発毛・育毛エステティック方法。
ａ）問診カルテの作成
ｂ）シャンプー原液塗布
ｃ）シャンプー
ｄ）防腐剤入り化粧水（天然水）および発毛促進剤塗布
ｅ）微弱電流波処置
ｆ）発毛促進剤およびガマ科植物微粉末塗布
ｇ）洗浄
ｈ）洗浄および微弱電流波処置
ｉ）防腐剤入り化粧水（天然水）および育毛剤塗布
ｊ）微弱電流波処置
ｋ）空気清浄改質器による処置
ｌ）セット
【請求項２】
下記プロセスを順次行なうようにしたことを特徴とする発毛・育毛エステティック方法。
ａ）問診カルテの作成
ｂ）シャンプー原液塗布
ｃ）シャンプー
ｄ）防腐剤入り化粧水（天然水）および発毛促進剤塗布
ｅ）微弱電流波処置
ｆ）洗浄
ｇ）洗浄および微弱電流波処置
ｈ）防腐剤入り化粧水（天然水）および育毛剤塗布
ｉ）微弱電流波処置
ｊ）空気清浄改質器による処置
ｋ）セット
【請求項３】
下記プロセスを順次行なうようにしたことを特徴とする発毛・育毛エステティック方法。
ａ）問診カルテの作成
ｂ）シャンプー原液塗布
ｃ）シャンプー
ｄ）防腐剤入り化粧水（天然水）および発毛促進剤塗布
ｅ）微弱電流波処置
ｆ）洗浄および微弱電流波処置
ｇ）防腐剤入り化粧水（天然水）および育毛剤塗布
ｈ）微弱電流波処置
ｉ）空気清浄改質器による処置
ｊ）セット
【発明の詳細な説明】
【０００１】
【発明の属する技術分野】
この発明は、毛髪の薄くなっていくことを防止したり、あるいは逆に発毛を促進することを可能とする発毛・育毛エステティック方法に関するものである。
【０００２】
【従来の技術】
従来の発毛あるいは育毛法としては、
(１)発毛剤や育毛剤、皮膚活性剤等の医薬品を使用する方法。
(２)頭皮マッサージで頭皮の毛根を活性化する方法。
が一般的である。
【０００３】
従来、身体のエステティックの方面においては、そのプロセスをシステム的に行なう種々の方法が採用されている。
【０００４】
しかしながら頭皮において、毛髪の薄くなっていくことを防止したり、あるいは逆に発毛を促進することを可能とする発毛・育毛エステティック方法として有効なものは、従来存在しなかった。
【０００５】
【発明が解決しようとする課題】
従来の発毛・育毛方法は、発毛剤や育毛剤、皮膚活性剤等の医薬品を使用する方法や頭皮マッサージで頭皮の毛根を活性化する方法を単独で、あるいは組合せて実行するものであり、頭皮マッサージといっても頭皮全体を指やブラシ等でマッサージしたり、微弱電流波マッサージを利用することのみが一般的に行なわれていた。
もちろん、頭皮マッサージに付随して、頭皮の洗浄や加温器による加温等が行なわれることもあった。
【０００６】
いずれにしても従来は、発毛あるいは育毛法をシステム的に行なうものは存在しなかったので、有効に発毛あるいは育毛したり、あるいはその効果を科学的に検証する方法は存在しなかったのが実情である。
【０００７】
また、発毛剤や育毛剤、皮膚活性剤等の医薬品を使用する方法と頭皮マッサージで頭皮の毛根を活性化する方法とを有機的に結合し、体系的にこれらを実行して発毛あるいは育毛法をシステム的に行なう手法は確立されていなかった。
【０００８】
この発明は従来例の上記欠点を解消しようとするものであり、発毛剤や育毛剤、皮膚活性剤等の医薬品を使用する方法と頭皮の毛根を活性化する方法とを有機的に結合し、体系的にこれらを実行して発毛あるいは育毛法をシステム的に行なうことが可能な発毛・育毛エステティック方法を提供しようとするものである。
【０００９】
【課題を解決するための手段】
すなわちこの発明の発毛・育毛エステティック方法は、下記プロセスを順次行なうようにしたことを特徴とするものである。
ａ）問診カルテの作成
ｂ）シャンプー原液塗布
ｃ）シャンプー
ｄ）防腐剤入り化粧水（天然水）および発毛促進剤塗布
ｅ）微弱電流波処置
ｆ）発毛促進剤およびガマ科植物微粉末塗布
ｇ）洗浄
ｈ）洗浄および微弱電流波処置
ｉ）防腐剤入り化粧水（天然水）および育毛剤塗布
ｊ）微弱電流波処置
ｋ）空気清浄改質器による処置
ｌ）セット
【００１０】
この発明の発毛・育毛エステティック方法は、下記プロセスを順次行なうようにしたことをも特徴とするものである。
ａ）問診カルテの作成
ｂ）シャンプー原液塗布
ｃ）シャンプー
ｄ）防腐剤入り化粧水（天然水）および発毛促進剤塗布
ｅ）微弱電流波処置
ｆ）洗浄
ｇ）洗浄および微弱電流波処置
ｈ）防腐剤入り化粧水（天然水）および育毛剤塗布
ｉ）微弱電流波処置
ｊ）空気清浄改質器による処置
ｋ）セット
【００１１】
この発明の発毛・育毛エステティック方法は、下記プロセスを順次行なうようにしたことをも特徴とするものである。
ａ）問診カルテの作成
ｂ）シャンプー原液塗布
ｃ）シャンプー
ｄ）防腐剤入り化粧水（天然水）および発毛促進剤塗布
ｅ）微弱電流波処置
ｆ）洗浄および微弱電流波処置
ｇ）防腐剤入り化粧水（天然水）および育毛剤塗布
ｈ）微弱電流波処置
ｉ）空気清浄改質器による処置
ｊ）セット
【００１２】
この発明の発毛・育毛エステティック方法は、上記微弱電流波処置において、下記プロセスを順次行なうようにしたことをも特徴とするものである。
ａ）上星から百会に向かって指圧し、百会から上星に向かって戻ってくる。
ｂ）通天から風池に向かって指圧する。
ｃ）米噛みを最初は軽く、徐々に少し強めに指圧する。
ｄ）角孫を最初は軽く、徐々に少し強めに指圧する。
ｅ）風府に直角方向に指圧しつつ、あごを下向きに牽引する。
ｆ）天柱を両手で指圧する。
ｇ）太陽を指圧する。
ｈ）絲竹空を指圧する。
【００１３】
上記における発毛・育毛・洗浄のちがいについて、また問診カルテについて
説明する。
（発毛とは）頭皮、または毛包の中の過剰な皮脂を取り去り、毛母細胞に十分な酸素と栄養を送り込むことで、毛乳頭への血行が良くなり、毛母細胞が活性化して正常な毛根でき上がり、毛髪を生えさせることである。
（育毛とは）現在生えている毛髪の脱毛を防ぎ１個の毛穴から２、３本へ増すことを育毛と考えている。
（洗浄とは）毛穴に詰まった余分な皮脂、ホコリ、またシャンプー、リンス、ホームカラー等による根詰まりを洗浄することを目的とする。
（問診カルテとは）施術に際して予め頭皮の状況を確認するためのもので、問診表を利用して問診しながら、マイクロスコープ等で頭皮をチェックし、問診カルテを作成するものであり、抜け毛や毛髪・頭皮の所見を記入するようになっている。
【００１３】
この発明は以上のように構成したので、発毛剤や育毛剤、皮膚活性剤等の医薬品を使用する方法と頭皮の毛根を活性化する方法とを有機的に結合し、体系的にこれらを実行して発毛あるいは育毛法をシステム的に行なうことが可能な発毛・育毛エステティック方法を提供することができるようになった。
【００１４】
またこの発明の発毛・育毛エステティック方法は、施術を受ける頭皮に応じた処置をすることができ、しかもシステム的に処置することができるので、処置を誤ることの少ない、しかも効率的な発毛・育毛エステティックを行なうことができるようになった。
【００１５】
【発明の実施の形態】
以下、図面に基づき、この発明の発毛・育毛エステティック方法の実施の形態について説明する。
図１はこの発明の発毛・育毛エステティック方法の１実施例を示し、発毛エステのフローチャート、図２は他の実施例を示し、育毛エステ−男性のフローチャート、図３も他の実施例を示し、育毛エステ−女性のフローチャート、図４も他の実施例を示し、頭皮エステのフローチャート、図５はその際の頭皮のつぼを示し、ａ）は背面図、ｂ）は側面図、図６はオプショナルコースのフローチャート、図７は問診表の説明図、図８は問診カルテの説明図である。
【００１６】
図１のフローチャートに基づき、この発明の発毛・育毛エステティック方法を「発毛エステ」に適用した場合について説明する。
１）問診カルテの作成（カウンセリング）。
すなわち、図７の問診表に基づき問診する。図７の問診表はその代表的な例を示すものであるが、質問項目やその序列、その他の記入項目、あるいはペーパーで記入するかパソコンのモニタに表示させるか等は、施設の規模等に応じて適宜決定することができる。もちろん、頭皮の図示やつぼの表示等も、適宜行なえばよい。
【００１７】
得た頭皮等のデータは、そのままあるいは一定の処理を行った上、図８の問診カルテに記入される。この問診カルテは、頭皮や毛髪の状況を示すものであるが、それ以外の処置の方法、必要な回数、日程等も適宜を記入することもできる。
上記問診カルテのデータから一定の処置の方針が読み取れるものであるが、その基本的な指針について説明する。
・頭皮が健康であれば禿げた対象者の場合でも早く発毛する。
・頭皮に皮脂の固まりがあれば発毛はするが遅い。
・頭皮に皮脂の固まりがあり、さらにフィルム化された場合はかなり時間がかかる。
・女性の場合はどんな対象者でも早く発毛する。
・円形脱毛症の場合も早く発毛する。
・１０〜４０歳代の対象者は早く発毛する。
見ることができる。
【００１８】
２）シャンプー原液塗布
シャンプー原液を頭皮に塗布し、キャップをかぶせて空気清浄改質器と加温器で５分間加温しながら放置する。
なお、シャンプー原液の使用量は約１０〜１５ｃｃ程度でよい。もちろん、上記使用量は頭皮の表面積や性質、汚れ具合等によって上記範囲に制限されることなく適宜決定することができる。
【００１９】
３）シャンプー
防腐剤入り化粧水（天然水）とシャンプー原液とを１：１の割合で混合したものでシャンプーする。
使用量は防腐剤入り化粧水（天然水）約５０ｃｃ、シャンプー原液約５０ｃｃ、合計で１００ｃｃが望ましい。もちろん、上記配合割合は頭皮の表面積や性質、汚れ具合等によって上記割合に制限されることなく適宜決定することができる。
上記防腐剤入り化粧水（天然水）とは天然地下水もしくは天然地下水を煮沸したものに防腐剤、例えばパラベンを添加した頭皮用化粧水で、ビーワンバランス（(有)環境保全研究所製、商品名）として市販されている。
ここで使用されるシャンプー原液としては、種々のシャンプーが使用可能であるが、上記防腐剤入り化粧水（天然水）とのなじみの良いものを適宜選択することが望ましい。
【００２０】
４）防腐剤入り化粧水（天然水）＋発毛促進剤塗布
上記防腐剤入り化粧水（天然水）と発毛促進剤とを１：１の割合で混合したものを頭皮に塗布する。
使用量は防腐剤入り化粧水（天然水）約１５ｃｃ、発毛促進剤約１５ｃｃ、合計で３０ｃｃが望ましい。もちろん、上記配合割合は頭皮の表面積や性質、頭髪の性質等によって上記範囲に制限されることなく適宜決定することができる。
上記発毛促進剤としては適宜のものが使用できるが、カボクのエキスからなるものが好適であり、プラスペース（(有)環境保全研究所製、商品名）として市販されている。
【００２１】
５）微弱電流波処置
微弱電流（生体電流）波マッサージ機にて頭皮を約１０〜１５分間処置する。もちろん、上記処置の時間は頭皮の表面積や性質、頭髪の性質等によって上記範囲に制限されることなく適宜決定することができる。
その際、図４に示すような頭皮マッサージを施すことができる。なお予め始める前に、霧吹きで天然地下水もしくは天然地下水を煮沸したもの、例えばアクアーリオ（(有)環境保全研究所製、商品名）として市販されているものを、図５に示す百会、米噛み等に塗布して濡らしておく。そして、微弱電流（生体電流）波マッサージ機の手袋に、アクアーリオをしっかり塗布した後、エステを始めると結果がよい。
ａ）上星から百会に向かって親指にて指圧し、百会から上星に向かって戻ってくる（２回位）。また親指でジグザグに交差するように再び上星から百会に向かって指圧する（２回位）。
ｂ）通天から風池に向かって指圧する（左右、往復）。
ｃ）米噛みを最初は軽く、徐々に少し強めに指圧する。
ｄ）角孫を最初は軽く、徐々に少し強めに指圧する。
ｅ）風府に人差指を立てるようにして、あごを下向きに牽引する。
ｆ）天柱を両手で指圧する。
ｇ）太陽を指圧する。
ｈ）絲竹空を指圧する。
【００２２】
６）発毛促進剤＋ガマ科植物微粉末塗布
発毛促進剤とガマ科植物微粉末（好適にはヒメガマ、小さじ１杯程度）をペースト状に混合して頭皮に塗布し、ドライヤーでパリパリになるまで乾かし、約１０分間放置してから洗い流す。もちろん、上記ヒメガマ使用量や乾燥後の放置時間等は頭皮の表面積や性質、頭髪の性質等によって上記使用量や放置時間に制限されることなく適宜決定することができる。
上記ガマ科植物微粉末のヒメガマとは、ガマ科（typhaangustifolia）の植物であり、日本全国の水辺に広く分布する多年生の抽水植物である。霞ヶ浦には、ヒメガマの他、コガマ、ガマ等の種類も見受けられるが、ヒメガマの数が圧倒的である。大型の抽水植物のなかでは、最も沖側に生える。7〜8月頃、茎の先端に花穂をつけるが、上が雄花穂、下が雌花穂と2段に分かれる。十分成長した葉や茎を乾かし、粉末化する。
【００２３】
７）洗浄
循環器に防腐剤入り化粧水（天然水）とシャンプー原液１滴を入れ、約１５〜２０分間洗浄する。
使用量は防腐剤入り化粧水（天然水）約２００ｃｃ、シャンプー原液１滴が望ましい。もちろん、上記使用量は頭皮の表面積や性質、頭髪の性質等によって上記範囲に制限されることなく適宜決定することができる。
【００２４】
８）洗浄＋微弱電流波処置
防腐剤入り化粧水（天然水）とＳＧエッセンス、育毛剤を循環器に追加して洗浄しながら、微弱電流波マッサージ機にて頭皮を約４０〜４５分間処置する。
使用量は防腐剤入り化粧水（天然水）約６５ｃｃ、ＳＧエッセンス約１５ｃｃ、育毛剤約２０ｃｃ、合計約１００ｃｃが望ましい。もちろん、上記処置の時間や化粧水等の使用量は頭皮の表面積や性質、頭髪の性質等によって上記範囲に制限されることなく適宜決定することができる。
上記ＳＧエッセンスとは、大人特有のニキビのできにくい肌に整えていく薬用美容液であり、過剰な皮脂を抑制し肌本来の機能を高め、キメの整ったなめらかな肌へと導くものである。
上記育毛剤としては、市販されている種々の育毛剤が使用できるが、本発明において用いられている防腐剤入り化粧水（天然水）となじみの良い育毛剤が好適に使用できる。
【００２５】
９）防腐剤入り化粧水（天然水）＋育毛剤塗布
防腐剤入り化粧水（天然水）と育毛剤とを１：１の割合で混合したものを頭皮に塗布する。
使用量は防腐剤入り化粧水（天然水）約１５ｃｃ、育毛剤約１５ｃｃ、合計で３０ｃｃが望ましい。もちろん、上記配合割合は頭皮の表面積や性質、頭髪の性質等によって上記割合に制限されることなく適宜決定することができる。
【００２６】
１０）微弱電流波処置
微弱電流（生体電流）波マッサージ機にて頭皮を約１０分間処置する。もちろん、この時間は目安に過ぎない。
【００２７】
１１）空気清浄改質器による処置
ヘアキャップをかぶせて空気清浄改質器で約１０分間放置する。このような空気清浄改質器としては、ヘアリフォーマー（(有)環境保全研究所製、商品名）として市販されているものが好適に使用できる。もちろん、上記時間は目安に過ぎない。
【００２８】
１２）セット
ドライヤーでセットして終了する。
【００２９】
次に図２のフローチャートに基づき、この発明の発毛・育毛エステティック方法を「育毛エステ−男性」に適用した場合について説明する。
１）問診カルテの作成（カウンセリング）。
すなわち、図７の問診表に基づき問診する。図７の問診表はその代表的な例を示すものであるが、質問項目やその序列、その他の記入項目、あるいはペーパーで記入するかパソコンのモニタに表示させるか等は、施設の規模等に応じて適宜決定することができる。もちろん、頭皮の図示やつぼの表示等も、適宜行なえばよい。
得た頭皮等のデータは、そのままあるいは一定の処理を行った上、図８の問診カルテに記入される。この問診カルテは、頭皮や毛髪の状況を示すものであるが、それ以外の処置の方法、必要な回数、日程等も適宜を記入することもできる。
【００３０】
２）シャンプー原液塗布
シャンプー原液を頭皮に塗布し、キャップをかぶせて空気清浄改質器と加温器で５分間加温しながら放置する。
なお、シャンプー原液の使用量は約１０〜１５ｃｃ程度でよい。もちろん、この使用範囲は目安に過ぎない。
【００３１】
３）シャンプー
防腐剤入り化粧水（天然水）とシャンプー原液とを１：１の割合で混合したものでシャンプーする。
使用量は防腐剤入り化粧水（天然水）約５０ｃｃ、シャンプー原液約５０ｃｃ、合計で１００ｃｃが望ましい。もちろん、この配合割合は目安に過ぎない。
【００３２】
４）防腐剤入り化粧水（天然水）＋発毛促進剤塗布
防腐剤入り化粧水（天然水）と発毛促進剤とを１：１の割合で混合したものを頭皮に塗布する。
使用量は防腐剤入り化粧水（天然水）約１５ｃｃ、発毛促進剤約１５ｃｃ、合計で３０ｃｃが望ましい。もちろん、この配合割合は目安に過ぎない。
【００３３】
５）微弱電流波処置
微弱電流（生体電流）波マッサージ機にて頭皮を約１０〜１５分間処置する。もちろん、この処置時間は目安に過ぎない。
【００３４】
６）洗浄
循環器に防腐剤入り化粧水（天然水）とシャンプー原液１滴を入れ、約１０〜１５分間洗浄する。
使用量は防腐剤入り化粧水（天然水）約２００ｃｃ、シャンプー原液１滴が望ましい。もちろん、この使用範囲や洗浄時間、配合割合等は目安に過ぎない。
【００３５】
７）洗浄＋微弱電流波処置
防腐剤入り化粧水（天然水）とＳＧエッセンス、育毛剤を循環器に追加して洗浄しながら、微弱電流波マッサージ機にて頭皮を約４０〜４５分間処置する。
使用量は防腐剤入り化粧水（天然水）約６５ｃｃ、ＳＧエッセンス約１５ｃｃ、育毛剤約２０ｃｃ、合計約１００ｃｃが望ましい。もちろん、この処置時間や配合割合等は目安に過ぎない。
【００３６】
８）防腐剤入り化粧水（天然水）＋育毛剤塗布
防腐剤入り化粧水（天然水）と育毛剤とを１：１の割合で混合したものを頭皮に塗布する。使用量は防腐剤入り化粧水（天然水）約１５ｃｃ、育毛剤約１５ｃｃ、合計で３０ｃｃが望ましい。もちろん、この配合割合等は目安に過ぎない。
【００３７】
９）微弱電流波処置
微弱電流（生体電流）波マッサージ機にて頭皮を約１０分間処置する。
【００３８】
１０）空気清浄改質器による処置
ヘアキャップをかぶせて空気清浄改質器で約１０分間放置する。もちろん、上記処置時間や空気清浄改質器にかける時間等は目安に過ぎない。
【００３９】
１１）セット
ドライヤーでセットして終了する。
【００４０】
さらに図３のフローチャートに基づき、この発明の発毛・育毛エステティック方法を「育毛エステ−女性」に適用した場合について説明する。
１）問診カルテの作成（カウンセリング）。
すなわち、図７の問診表に基づき問診する。図７の問診表はその代表的な例を示すものであるが、質問項目やその序列、その他の記入項目、あるいはペーパーで記入するかパソコンのモニタに表示させるか等は、施設の規模等に応じて適宜決定することができる。もちろん、頭皮の図示やつぼの表示等も、適宜行なえばよい。
得た頭皮等のデータは、そのままあるいは一定の処理を行った上、図８の問診カルテに記入される。この問診カルテは、頭皮や毛髪の状況を示すものであるが、それ以外の処置の方法、必要な回数、日程等も適宜を記入することもできる。
【００４１】
２）シャンプー原液塗布
シャンプー原液を頭皮に塗布し、キャップをかぶせて空気清浄改質器と加温器で５分間加温しながら放置する。
なお、シャンプー原液の使用量は約１０から１５ｃｃ程度でよい。もちろん、この使用量は目安に過ぎない。
【００４２】
３）シャンプー
防腐剤入り化粧水（天然水）とシャンプー原液とを１：１の割合で混合したものでシャンプーする。
使用量は防腐剤入り化粧水（天然水）約５０ｃｃ、シャンプー原液約５０ｃｃ、合計で１００ｃｃが望ましい。もちろん、この配合割合等は目安に過ぎない。
【００４３】
４）防腐剤入り化粧水（天然水）＋発毛促進剤塗布
防腐剤入り化粧水（天然水）と発毛促進剤とを１：１の割合で混合したものを頭皮に塗布する。
使用量は防腐剤入り化粧水（天然水）約２０ｃｃ、発毛促進剤約１０ｃｃ、合計で３０ｃｃが望ましい。もちろん、この配合割合等は目安に過ぎない。
【００４４】
５）微弱電流波処置
微弱電流（生体電流）波マッサージ機にて頭皮を約１０〜１５分間処置する。
【００４５】
６）洗浄＋微弱電流波処置
防腐剤入り化粧水（天然水）と育毛剤、ヒメガマ微粉末を循環器に追加して洗浄しながら、微弱電流波マッサージ機にて頭皮を約３０分間処置する。
使用量は防腐剤入り化粧水（天然水）約２００〜３００ｃｃ、育毛剤約２０〜３０ｃｃ、ヒメガマ微粉末１ｇ、合計約２２０〜３３０ｃｃが望ましい。もちろん、上記処置時間や配合割合等は目安に過ぎない。
【００４６】
７）防腐剤入り化粧水（天然水）＋育毛剤塗布
防腐剤入り化粧水（天然水）と育毛剤とを１：１の割合で混合したものを頭皮に塗布する。
使用量は防腐剤入り化粧水（天然水）約１５ｃｃ、育毛剤約１５ｃｃ、合計で３０ｃｃが望ましい。もちろん、この配合割合等は目安に過ぎない。
【００４７】
８）微弱電流波処置
微弱電流（生体電流）波マッサージ機にて頭皮を約１０分間処置する。
【００４８】
９）空気清浄改質器による処置
ヘアキャップをかぶせて空気清浄改質器で約１０分間放置する。もちろん、この処置時間や放置時間等は目安に過ぎない。
【００４９】
１０）セット
ドライヤーでセットして終了する。
【００５０】
図６にオプショナルコースについて説明する。
このオプショナルコースは、頭皮に対して発毛・育毛エステティック方法を施術した後に、足に施術することを考えたものである。
すなわち、
ａ）先ず万貴風呂に１５分間入浴する。
ｂ）次にフットバスで７分間足浴する。
ｃ）その後、足の経路を刺激するように１５〜２０分間マッサージする。
というものである。もちろん、上記入浴時間やマッサージ時間等は目安に過ぎない。
【００５１】
【発明の効果】
この発明は以上のように構成したので、発毛剤や育毛剤、皮膚活性剤等の医薬品を使用する方法と頭皮の毛根を活性化する方法とを有機的に結合し、体系的にこれらを実行して発毛あるいは育毛法をシステム的に行なうことが可能な発毛・育毛エステティック方法を提供することができるようになった。
【００５２】
またこの発明の発毛・育毛エステティック方法は、施術を受ける頭皮に応じた処置をすることができ、しかもシステム的に処置することができるので、処置を誤ることの少ない、しかも効率的な発毛・育毛エステティックを行なうことができるようになった。
【図面の簡単な説明】
【図１】この発明の発毛・育毛エステティック方法の１実施例を示し、発毛エステのフローチャートである。
【図２】他の実施例を示し、育毛エステ−男性のフローチャートである。
【図３】他の実施例を示し、育毛エステ−女性のフローチャートである。
【図４】他の実施例を示し、頭皮エステのフローチャートである。
【図５】その際の頭皮のつぼを示し、ａ）は背面図、ｂ）は側面図である。
【図６】オプショナルコースのフローチャートである。
【図７】問診表の説明図である。
【図８】問診カルテの説明図である。
【図１】
0004610837.tif 000002
【図２】
0004610837.tif 000003
【図３】
0004610837.tif 000004
【図４】
0004610837.tif 000005
【図５】
0004610837.tif 000006
【図６】
0004610837.tif 000007
【図７】
0004610837.tif 000008
【図８】
0004610837.tif 000009